(57)【要約】【課題】走査線毎にこれに沿って配置した補助容量線を利用して画素電極にバイアスを加えて画像表示を行う際に、補助容量線を駆動するドライバＩＣのチップサイズや表示装置全体の小型化を図る。【解決手段】走査線Ｖｇ（ｎ）毎に、これに沿って配置した補助容量線ＶＣｓ（ｎ）のうち、同極性であり、且つ隣接する複数の補助容量線ＶＣｓ（ｎ）を、同一の容量制御線ＶＣｃ（ｋ）に接続し、複数の補助容量線ＶＣｓ（ｎ）への容量線制御信号を、１本の容量制御線ＶＣｃ（ｋ）を介して供給する。補助容量線ＶＣｓ（ｎ）を駆動するために必要なドライバ回路ＩＣの出力端子は補助容量線ＶＣｓ（ｎ）の数よりも少ない容量制御線ＶＣｃ（ｋ）の数相当あればよいから、その分、チップサイズの縮小を図ることができ、すなわち表示装置全体の小型化を図ることができる。【選択図】図２
2008175853.tif 000002
【特許請求の範囲】
【請求項１】
複数の走査線と複数のデータ線との交差に対応して設けられた画素電極と当該画素電極
と対向して設けられた対向電極との間に形成される画素容量に保持される電圧に応じて画
像を表示する表示装置において、
前記複数の走査線に沿って設けられる補助容量線と、
前記補助容量線に対して、周期的に反転させて所定の電位を供給する補助容量線駆動回
路と、を備え、
複数の前記補助容量線について極性の同じものを組とし、当該組に属する複数の補助容
量線の一端どうしを共通の容量制御線に接続し、当該容量制御線の他端を前記補助容量線
駆動回路の出力端に接続したことを特徴とする表示装置。
【請求項２】
前記容量制御線は、前記同極性の補助容量線のうち、隣り合う複数の補助容量線が接続
されることを特徴とする請求項１記載の表示装置。
【請求項３】
前記複数の走査線を選択的に駆動する走査信号を前記走査線に印加する走査線駆動回路
と、
前記走査線駆動回路での前記走査線の駆動順に応じた順で前記データ線にデータ信号を
供給するデータ線駆動回路と、を備え、
前記走査線駆動回路は、フレーム毎に前記組に対応する走査線に対して供給する順番を
異ならせた走査信号を供給し、
前記補助容量線駆動回路は、前記組に対応する走査線における全ての走査線への走査信
号が前記走査線を選択する選択状態から非選択状態へ切り替えられた後に、前記補助容量
信号の所定の電位を反転させて出力することを特徴とする請求項１又は２記載の表示装置
。
【請求項４】
前記補助容量線は、１フレーム毎に極性が変化し、
前記走査線駆動回路は、前記補助容量線の極性が同一となるフレーム間で、前記組に対
応する走査線での走査線の駆動順の入れ替えを行うことを特徴とする請求項３記載の表示
装置。
【請求項５】
前記画素電極は、対応する前記データ線にスイッチ素子を介して接続され、前記走査信
号により前記スイッチ素子が導通状態となったとき、前記データ線に供給されるデータ信
号が前記画素電極に印加され、
前記スイッチ素子は、アモルファスシリコンで構成されることを特徴とする請求項１乃
至４の何れか１項に記載の表示装置。
【請求項６】
前記請求項１乃至５の何れか１項に記載の表示装置を備えることを特徴とする電気機器
。
【発明の詳細な説明】
【技術分野】
【０００１】
本発明は、薄膜トランジスタ等のスイッチ素子を用いた液晶表示装置等の、表示装置及
び電気機器に関する。
【背景技術】
【０００２】
従来、コンピュータや携帯電話のディスプレイには、液晶表示装置が用いられている。
この液晶表示装置は、マトリクス状に配置された画素電極を順次選択駆動することで表示
が行われる。すなわち、選択された画素電極と、これに対向する対向電極との間に電圧を
印加することで、両者の間に介在する液晶を変移させ、透過特性を変化させることで表示
パターンを形成している。
【０００３】
これら画素電極を駆動する方法として、スイッチ素子で印加電圧を制御するアクティブ
マトリクス方式があり、その中でも、薄膜トランジスタでスイッチ素子を形成したものを
、ＴＦＴと呼んでいる。
近年、特に携帯用途で使用される液晶表示装置には、低消費電力が要求されている。一
般的なＴＦＴを用いた駆動方法においては、液晶を交流化させる必要があり、対向電極（
ＣＯＭ電極）を１ライン毎に反転させる必要がある。
【０００４】
これに対し、特許文献１や特許文献２に記載されているように、走査線に沿って補助容
量線を設け、画素電極と補助容量線との間に補助容量を形成し、前記補助容量線を１ライ
ン毎に個別に反転させるという技術が公開されている。
この技術は、対向電極はある直流電位で一定とし、ライン毎に補助容量線の信号をフレ
ーム周期で反転制御するため、補助容量線の電位変化の回数が減少し、駆動電力の低減を
図ることができる。
【特許文献１】特開２００３−２９５１５７号公報
【特許文献２】特開２００６−２２０９４７号公報
【発明の開示】
【発明が解決しようとする課題】
【０００５】
しかしながら、上述のように、ライン毎に補助容量線の信号をフレーム周期で反転する
制御を、一般的なアモルファスＴＦＴで実現する場合、ライン毎に設けられる補助容量線
のそれぞれを制御するための信号線が必要となる。つまり、例えば３２０ライン表示の液
晶パネルの場合、これを駆動するためのドライバＩＣは、制御出力が、この補助容量線を
制御するための制御出力に相当する３２０本分多く必要となり、その結果、チップサイズ
の増加及びコストアップにつながるという問題がある。
そこで、この発明は、上記従来の未解決の課題に着目してなされたものであり、チップ
サイズの小型化及びコストアップの低減を図ることの可能な表示装置及び電気機器を提供
することを目的としている。
【課題を解決するための手段】
【０００６】
上記した課題を解決するために、本発明の表示装置は、複数の走査線と複数のデータ線
との交差に対応して設けられた画素電極と当該画素電極と対向して設けられた対向電極と
の間に形成される画素容量に保持される電圧に応じて画像を表示する表示装置において、
前記複数の走査線に沿って設けられる補助容量線と、前記補助容量線に対して、周期的に
反転させて所定の電位を供給する補助容量線駆動回路と、を備え、複数の前記補助容量線
について極性の同じものを組とし、当該組に属する複数の補助容量線の一端どうしを共通
の容量制御線に接続し、当該容量制御線の他端を前記補助容量線駆動回路の出力端に接続
したことを特徴としている。
【０００７】
これにより、複数の補助容量線の一端を１本の容量制御線にまとめた分、補助容量線を
駆動するための信号数が少なくなり、その分、この信号用の配線が少なくなることから、
この信号を供給するための制御出力端子の数を削減することができる。よって、補助容量
線を駆動するドライバ回路ＩＣの小型化を図ることができると共に、引き回す配線数を削
減することができるから、配線の占有面積を縮小することができ、表示装置の小型化を図
ることができる。
【０００８】
また、上記した表示装置において、前記容量制御線は、前記同極性の補助容量線のうち
、隣り合う複数の補助容量線が接続されることを特徴している。
ここで、比較的離れた補助容量線をまとめて複数駆動すると、場合によっては、表示画
像にフリッカ等が発生する可能性があるが、比較的近傍の複数の補助容量線をまとめて駆
動しているため、複数の補助容量線をまとめて駆動することに起因する表示画像への影響
を低減することができる。
【０００９】
また、上記した表示装置において、前記複数の走査線を選択的に駆動する走査信号を前
記走査線に印加する走査線駆動回路と、前記走査線駆動回路での前記走査線の駆動順に応
じた順で前記データ線にデータ信号を供給するデータ線駆動回路と、を備え、前記走査線
駆動回路は、フレーム毎に前記組に対応する走査線に対して供給する順番を異ならせた走
査信号を供給し、前記補助容量線駆動回路は、前記組に対応する走査線における全ての走
査線への走査信号が前記走査線を選択する選択状態から非選択状態へ切り替えられた後に
、前記補助容量信号の所定の電位を反転させて出力することを特徴としている。
【００１０】
ここで、複数の補助容量線をまとめて駆動した場合、走査線間で前記画素容量及び前記
補助容量への充電期間に差が生じるため、例えば明るさ等といった画素の表示状況に差が
生じる可能性がある。しかしながら、一の組に対応する走査線に対して、走査信号を供給
する順番をフレーム毎に入れ替えて供給し、且つ、前記一の組に対応する走査線に対する
走査信号が全て選択状態から非選択状態へ切り替えられた後に、前記一の組に対応する補
助容量線に対する補助容量信号を供給するようにしたから、フレーム間での、明るさ等と
いった画素の表示状況の差を、視覚的に平均化することができる。
【００１１】
また、上記した表示装置において、前記補助容量線は、１フレーム毎に極性が変化し、
前記走査線駆動回路は、前記補助容量線の極性が同一となるフレーム間で、前記組に対応
する走査線での走査線の駆動順の入れ替えを行うことを特徴としている。
これによって、極性の差に起因する画素の表示特性の差の影響を受けることを回避し、
より的確に表示状況の平均化を行うことができる。
【００１２】
また、上記した表示装置において、前記画素電極は、対応する前記データ線にスイッチ
素子を介して接続され、前記走査信号により前記スイッチ素子が導通状態となったとき、
前記データ線に供給されるデータ信号が前記画素電極に印加され、前記スイッチ素子は、
アモルファスシリコンで構成されることを特徴としている。
ここで、アモルファスシリコンで構成されるスイッチ素子の場合、このスイッチ素子と
共にこれを駆動する駆動回路を同一の基板上に形成することは困難であるため補助容量線
を引き回す必要があるが、複数の補助容量線をまとめて一本の容量制御線に接続し、基板
上で容量制御線が占める割合を低減することができる。よってその分、表示装置の小型化
を図ることができると共に、補助容量線を駆動するための信号数を削減することができる
から、補助容量線を駆動するドライバＩＣの出力端子数を削減することができ、ドライバ
ＩＣの小型化を図ることができる。
【００１３】
また、本発明に係る電気機器は、上記した何れかの表示装置を備えることを特徴として
いる。
これによって、表示装置を備えた電気機器において、チップサイズの小型化及びコスト
アップの低減を図ることの可能な電気機器を実現することができる。
【発明を実施するための最良の形態】
【００１４】
以下、本発明の実施の形態を説明する。
図１は、本実施形態の表示装置を適用した液晶表示装置１の概略構成を、表示部１００
の等価回路と共に示すブロック図である。
この液晶表示装置１は、マトリクス状に配置された多数の画素形成部としての画素回路
かなる表示部１００と、走査側の駆動回路としての、走査線駆動回路及び容量線駆動回路
を有する走査側駆動回路２００と、データ線側の駆動回路としてのデータ線駆動回路３０
０と、外部の信号源から与えられる画像信号及び制御信号に基づき走査側駆動回路２００
及びデータ線駆動回路３００を動作させるための制御信号及び画像データを生成する表示
制御回路５００と、を備えている。
【００１５】
本実施形態における表示部１００は、液晶表示パネルであって、電気光学素子としての
液晶層を挟持する１対の基板からなり、各基板の外表面には偏向板が貼り付けられている
。この１対の基板の一方はＴＦＴ基板と呼ばれ、ＴＦＴ基板では、ガラス等の絶縁性基板
上に、複数のデータ線Ｖｓ（１）〜Ｖｓ（Ｍ）と、複数の走査線Ｖｇ（１）〜Ｖｇ（Ｎ）
とが互いに交差するように格子状に形成され、さらに、複数の走査線Ｖｇ（１）〜Ｖｇ（
Ｎ）とほぼ並行に延在して、これら走査線Ｖｇ（ｎ）のそれぞれに対応して複数の補助容
量線ＶＣｓ（１）〜ＶＣｓ（Ｎ）が形成されている。これら複数の補助容量線ＶＣｓ（１
）〜ＶＣｓ（Ｎ）は、一つおきに隣接する２本の補助容量線ＶＣｓ（ｎ）どうしが、１本
の容量制御線ＶＣｃ（１）〜ＶＣｃ（Ｋ）に接続されている。つまり、図１の場合、補助
容量線ＶＣｓ（ｎ−１）とＶＣｓ（ｎ＋１）とが、容量制御線ＶＣｃ（ｋ−１）に接続さ
れ、同様に、補助容量線ＶＣｓ（ｎ）と、ＶＣｓ（ｎ＋２）とが、容量制御線ＶＣｃ（ｋ
）に接続されている。
【００１６】
これら補助容量線ＶＣｓ（１）〜ＶＣｓ（Ｎ）は、例えば図２に示すように、走査線Ｖ
ｇ（１）〜Ｖｇ（Ｎ）毎に、この走査線に沿ってほぼ平行に配置され、一方の端部位置（
図２では右端）で、一つおきに隣接する２本の補助容量線ＶＣｓ（ｎ）どうしが、１本の
容量制御線ＶＣｃ（ｋ）に接続されている。そして、この容量制御線ＶＣｃ（１）〜ＶＣ
ｃ（Ｋ）が後述のドライバＩＣに接続されている。一方、走査線Ｖｇ（ｎ）はそのままド
ライバＩＣに接続される。
【００１７】
つまり、補助容量線ＶＣｓ（１）〜ＶＣｓ（Ｎ）は走査線毎に設けられているが、容量
制御線ＶＣｃ（ｋ）を介してドライバＩＣに接続されているため、補助容量線ＶＣｓ（１
）〜ＶＣｓ（Ｎ）を駆動するために必要なドライバＩＣの出力端子は、走査線を駆動する
ために必要な出力端子数の半分でよいことになる。つまり、例えば、３２０ライン表示の
液晶表示装置の場合は、本来３２０個必要なところ、その半分の１６０個ですむ。
【００１８】
一方、複数のデータ線Ｖｓ（１）〜Ｖｓ（Ｍ）と、走査線Ｖｇ（１）〜Ｖｇ（Ｎ）との
交差点にそれぞれ対応して複数の画素回路Ｐ（ｎ，ｍ）がマトリクス状に形成されており
（ｎ＝１〜Ｎ、ｍ＝１〜Ｍ）、各画素回路Ｐ（ｎ，ｍ）は、図３に示すように、画素電極
Ｖｐｉｘと、その画素電極Ｖｐｉｘと後述の対向電極ＶＣＯＭＤＣとによって形成される
液晶容量（以下、画素容量ともいう）ＣLCと、その画素電極Ｖｐｉｘの近傍を通過する１
つの補助容量線ＶＣｓ（ｎ）との間に形成される補助容量Ｃｓと、スイッチ素子としての
ＴＦＴ１０とを含んでいる。このＴＦＴ１０のゲート端子及びソース端子は、当該画素回
路Ｐ（ｎ，ｍ）に対応する交差点を通過する走査線Ｖｇ（ｎ）及びデータ線Ｖｓ（ｍ）に
それぞれ接続され、このＴＦＴ１０のドレイン端子は、画素電極Ｖｐｉｘに接続されてい
る。
【００１９】
また、ＴＦＴ基板における表示部１００の周辺部には、図１に示すように、データ線Ｖ
ｓ（１）〜Ｖｓ（Ｍ）を駆動する回路として、前記データ線駆動回路３００と、走査線Ｖ
ｇ（１）〜Ｖｇ（Ｎ）を駆動する走査線駆動回路及び容量制御線ＶＣｃ（１）〜ＶＣｃ（
Ｋ）を介して補助容量線ＶＣｓ（１）〜ＶＣｓ（ｋ）を駆動する容量線駆動回路とを含む
走査側駆動回路２００とが、それぞれドライバＩＣチップに内蔵されてＴＦＴ基板上に実
装されている。
【００２０】
次に、上記１対の基板の他方は、対向基板と呼ばれ、ガラス等の透明な絶縁性基板上に
、全面にわたって対向電極ＶＣＯＭＤＣ、配向膜が順次積層されている。そして、この対
向基板と上記ＴＦＴ基板との間に、周囲を封止されて挟持された液晶層が存在し、この液
晶層と、それを挟むように配置されている各画素電極Ｖｐｉｘ及び対向電極ＶＣＯＭＤＣ
とによって、上記の液晶容量ＣLCが形成されている。なお、各画素回路Ｐ（ｎ，ｍ）によ
って形成すべき画素の値に相当する電圧を保持するための総容量（以下、これを画素容量
としての液晶容量ＣLCと区別して画素総容量と呼ぶ）は、液晶容量ＣLCと補助容量Ｃｓと
から構成される。
【００２１】
上記のような液晶パネルにおいて、共通電極としての対向電極ＶＣＯＭＤＣは、所定の
電位（直流電圧）ＶＣＯＭに設定され（以後、この電位を、対向電極電位又は共通電極電
位という）、各画素電極Ｖｐｉｘ及び対向電極ＶＣＯＭＤＣとによって挟持される液晶層
には、それらの電極間の電位差に応じた電圧が印加される。これによって液晶層の各部分
の光学的変調が行われ透過特性を変化させることで表示パターンを形成している。
【００２２】
図４は、本実施形態に係る液晶表示装置１の各信号線及び画素電極電位の概要を示す信
号波形図である。
各データ線Ｖｓ（１）〜Ｖｓ（Ｍ）には、各ライン分のデータに相当する信号が順次印
加され、画素マトリクスの各行を構成する各画素回路Ｐ（ｎ，ｍ）の画素容量ＣLC（及び
補助容量Ｃｓ）に画素データへ書き込みが行われ、且つ、データ線Ｖｓ（１）〜Ｖｓ（Ｍ
）に印加すべきデータ信号の対向電極電位ＶＣＯＭを基準とする極性が１水平走査期間毎
に反転され、且つ、フレーム毎に極性が反転されて駆動される。
【００２３】
図４において、波形ｔ１は、走査線Ｖｇ（ｎ）への走査信号、つまりＴＦＴ１０へのゲ
ート波形を表す。波形ｔ２は、補助容量線ＶＣｓ（ｎ）への容量線信号を表す。この補助
容量線ＶＣｓ（ｎ）への容量線制御信号は１水平走査期間毎に反転し、且つ、この容量線
制御信号と対応する走査線Ｖｇ（ｎ）への走査信号がＴＦＴ１０を遮断状態にさせる電位
になった後に極性が反転する波形となっている。また、１フレーム毎に極性が反転する波
形となっている。波形ｔ３は、対向電極ＶＣＯＭＤＣの電位、波形ｔ４及びｔ５は、画素
電極電位Ｖｐｉｘであって、これらによって示される画素電極電位Ｖｐｉｘと対向電極電
位ＶＣＯＭとの電位差ΔＶが、画素電極と対向電極とに挟まれた液晶層に印加される電圧
を示したものとなる。なお、ｔ４は、液晶層の配向状態が光透過状態となる液晶ＯＮ時の
画素電極電位、ｔ５は、液晶層の配向状態が光遮断状態となる液晶ＯＦＦ時の画素電極電
位である。
【００２４】
なお、以下では、説明の便宜上、対向電極電位ＶＣＯＭは“０”〔Ｖ〕とする。
今、走査線Ｖｇ（ｎ）へ走査信号（波形ｔ１）が供給され、これにより走査線Ｖｇ（ｎ
）に接続された画素スイッチ素子すなわちＴＦＴ１０が導通状態となると、データ線Ｖｓ
（ｍ）からのデータ信号（波形ｔ４）として正電位が画素電極例えばＡに与えられ、走査
線Ｖｇ（ｎ）に接続されたＴＦＴ１０が遮断状態となるまでの期間に、画素電極Ａに接続
される画素容量としての液晶容量ＣLC及び補助容量Ｃｓが充電され、それによって、画素
電極Ａがデータ信号としての正電位を保持する。次に、走査信号（波形ｔ１）の供給が終
了し、走査線Ｖｇ（ｎ）に接続された画素スイッチ素子が遮断状態となると、その画素容
量としての液晶容量及び補助容量に蓄積された電荷はそのまま保持される。この間、補助
容量線ＶＣｓ（ｎ）は、所定の低電位になっている。
【００２５】
その後、補助容量線ＶＣｓ（ｎ）への電位を所定の高電位に変化させると、これにより
画素電極電位Ｖｐｉｘにバイアスが加わることになって、液晶層のうち画素電極Ａと対向
電極とに狭持された部分である画素液晶には、データ信号の正電位にバイアスが加算され
た電圧が印加されることになって、画素スイッチ素子が再び導通状態となるまでの期間電
荷は保持される。
【００２６】
このようにして、Ｎ本の走査線Ｖｇ（１）〜Ｖｇ（ｎ）に対応して配設されたＮ本の補
助容量線ＶＣｓ（１）〜ＶＣｓ（ｎ）が順次駆動されることで、対向電極ＶＣＯＭＤＣの
電位が直流ＤＣでありながら、同一の走査線にて導通／遮断が制御されるＴＦＴ１０に接
続される画素電極群毎に、画素電極電位Ｖｐｉｘにバイアスが加わり、そのバイアスの加
わった画素電極電位Ｖｐｉｘと対向電極ＶＣＯＭＤＣ電位との差に相当する電圧が実効値
として液晶層に印加されることとなる。
【００２７】
図５は、走査側駆動回路２００の構成を示すブロック図である。
この走査側駆動回路２００は、走査線Ｖｇ（１）〜Ｖｇ（Ｎ）を駆動する走査線駆動回
路２１０と、容量制御線ＶＣｃ（１）〜ＶＣｃ（Ｋ）を介して補助容量線ＶＣｓ（１）〜
ＶＣｓ（Ｎ）を駆動する容量線駆動回路２２０とを備えている。
走査線駆動回路２１０は、表示制御回路５００からのタイミング信号等の制御信号に基
づいて走査線Ｖｇ（１）〜Ｖｇ（Ｎ）を順次選択し走査信号を出力する、シフトレジスタ
等で構成される走査信号出力回路２１１と、表示制御回路５００からの切替信号に基づい
て走査信号出力回路２１１からの走査信号の出力先を切り替えて、対応する走査線Ｖｇ（
１）〜Ｖｇ（Ｎ）に供給する切替回路２１２とを備えている。
【００２８】
ここで、上述のように本願では、隣接する２つの補助容量線ＶＣｓ（ｎ）、ＶＣｓ（ｎ
＋２）が、１本の容量制御線ＶＣｃ（ｋ）に接続され、同一の容量線制御信号で２つの補
助容量線ＶＣｓ（ｎ）、ＶＣｓ（ｎ＋２）が駆動される。つまり、補助容量線ＶＣｓ（１
）とＶＣｓ（３）、補助容量線ＶＣｓ（２）とＶＣｓ（４）、……、ＶＣｓ（Ｎ−２）と
ＶＣｓ（Ｎ）がそれぞれ対をなしている。これら補助容量線ＶＣｓ（ｎ）への容量線制御
信号は、１水平走査期間毎に反転するようになっていることから、すなわち、印加電圧が
同極性となる補助容量線ＶＣｓ（ｎ）どうしで対が形成されている。
【００２９】
上述のように、切替回路２１２では、表示制御回路５００からの切替信号に基づき、通
常接続が指示されているときには、走査信号出力回路２１１からの走査信号をそのまま対
応する走査線Ｖｇ（ｎ）に出力する。一方、切替信号で接続先の切替が指示されていると
きには、走査信号の出力先を、対をなす補助容量線のうち他方に対応する走査線に出力す
る。
【００３０】
すなわち、走査線Ｖｇ（１）に対応する補助容量線ＶＣｓ（１）は、補助容量線ＶＣｓ
（３）と対をなしていることから、走査線Ｖｇ（１）への走査信号は、補助容量線ＶＣｓ
（３）に対応する走査線Ｖｇ（３）に出力する。同様に、走査線Ｖｇ（２）に対応する補
助容量線ＶＣｓ（２）は、補助容量線ＶＣｓ（４）と対をなしていることから、走査線Ｖ
ｇ（２）への走査信号は、補助容量線ＶＣｓ（４）に対応する走査線Ｖｇ（４）に出力す
る。同様に、走査線Ｖｇ（３）への走査信号は走査線Ｖｇ（１）に出力し、走査線Ｖｇ（
４）への走査信号は走査線Ｖｇ（２）に出力する。つまり、通常は、走査線Ｖｇ（ｎ）を
、Ｖｇ（１）、Ｖｇ（２）、Ｖｇ（３）、Ｖｇ（４）、…の順に駆動するが、切替指示が
行われたときには、Ｖｇ（３）、Ｖｇ（４）、Ｖｇ（１）、Ｖｇ（２）、…の順に駆動す
る。
【００３１】
また、容量線駆動回路２２０は、走査信号出力回路２１１からの走査信号の立ち上がり
及び立ち下がりタイミングに同期して、補助容量線ＶＣｓ（１）〜ＶＣｓ（Ｎ）を駆動す
るための容量線制御信号を、容量制御線ＶＣｃ（１）〜ＶＣｃ（Ｋ）に出力する。上述の
ように、対をなす補助容量線ＶＣｓ（ｎ）、補助容量線ＶＣｓ（ｎ＋２）は、１本の容量
制御線ＶＣｃ（ｋ）に接続されていることから、対をなす補助容量線ＶＣｓ（ｎ）、ＶＣ
ｓ（ｎ＋２）に対して同一のタイミングで同一の容量線制御信号が供給される。したがっ
て、この容量線制御信号は、対をなす補助容量線ＶＣｓ（ｎ）、ＶＣｓ（ｎ＋２）に対応
する走査線つまり、Ｖｇ（ｎ）、Ｖｇ（ｎ＋２）のうち、後に駆動されるＶｇ（ｎ＋２）
への走査信号が、ＴＦＴ１０遮断状態に制御する信号に切り換わった後、この走査線に接
続された画素へのデータ信号の書き込み極性と同極性の容量線制御信号を、補助容量線Ｖ
Ｃｓ（ｎ）、ＶＣｓ（ｎ＋２）に対応する容量制御線ＶＣｃ（ｋ）に出力する。
【００３２】
一方、データ線駆動回路３００は、表示制御回路５００からの制御信号及び画像データ
に基づいて、制御信号で指定されるタイミングでデータ線Ｖｓ（ｍ）を順次切り替えて供
給する。
表示制御回路１００は、走査線側駆動回路２００に対し切替信号を出力する。この切替
信号は、２フレーム毎に、通常指示、及び接続先の切替指示を交互に出力する。また、切
替指示を出力したときにはこのフレームに対応する、データ線駆動回路３００に供給する
画像データの並び順を変えて出力する。つまり、上述のように、切替指示が行われたとき
には、走査線を、Ｖｇ（３）、Ｖｇ（４）、Ｖｇ（１）、Ｖｇ（２）、…の順に駆動する
ことから、この順に合わせて、各画素に対応する画像データの並び順を変更して出力する
。
【００３３】
つまり、通常は、走査線Ｖｇ（１）、Ｖｇ（２）、Ｖｇ（３）、Ｖｇ（４）、…の順に
これに接続された画素に対応する画像データの並び順で画像信号をデータ線駆動回路３０
０に出力し、切替指示を行うときには、走査線Ｖｇ（３）、Ｖｇ（４）、Ｖｇ（１）、Ｖ
ｇ（２）、…の順にこれに接続された画素に対応する画像データの並び順で画像信号をデ
ータ線駆動回路３００に出力する。
【００３４】
次に、本実施の形態の動作を図６のタイミングチャートを用いて説明する。なお、この
図６では、同極性での書き込みが行われる１ライン目及び３ライン目の走査線に接続され
る画素について説明する。
走査線駆動回路２１０では、走査線Ｖｇ（ｎ）を順次選択するための走査信号を出力す
ると共に、表示制御回路５００からの切替信号に基づいて走査信号の出力先を切り替える
。
【００３５】
今、１フレーム目の画像表示を行うものとすると、表示制御回路５００は、通常接続を
指示する切替信号を出力する。
このため、走査線駆動回路２１０では、各走査線Ｖｇ（ｎ）を順次選択するための走査
信号を、走査線Ｖｇ（ｎ）に順次出力する。これによって、走査線Ｖｇ（１）、走査線Ｖ
ｇ（２）、走査線Ｖｇ（３）、走査線Ｖｇ（４）、…、の順に、走査信号が順次出力され
る。
【００３６】
データ線駆動回路３００では、データ線Ｖｓ（ｍ）を順次切り替え、データ線表示制御
回路５００から入力される画像データを所定のタイミングで選択したデータ線Ｖｓ（ｍ）
に出力する。
ここで、走査線Ｖｇ（１）、データ線Ｖｓ（ｍ）の交差位置に対応する画素回路Ｐ（１
，ｍ）、走査線Ｖｇ（３）、データ線Ｖｓ（ｍ）の交差位置に対応する画素回路Ｐ（３，
ｍ）に着目する。
なお、図６において、細実線は、走査線Ｖｇ（１）への走査信号（つまりゲート信号）
、太実線は、走査線Ｖｇ（３）への走査信号（つまりゲート信号）、細破線は、１ライン
目の走査線Ｖｇ（１）に接続された画素回路Ｐ（１，ｍ）の画素電極電位、太破線は、３
ライン目の走査線Ｖｇ（３）に接続された画素回路Ｐ（３，ｍ）の画素電極電位を表す。
【００３７】
まず、図６（ａ）に示すように、走査線Ｖｇ（１）に、走査信号が供給され、走査線Ｖ
ｇ（１）が選択されると、この走査線ＶｇはすなわちＴＦＴ１０へのゲート信号となるこ
とから、選択された走査線Ｖｇ（１）に接続されたＴＦＴ１０が導通状態となり、データ
線Ｖｓ（ｍ）からデータ信号として正電位が画素電極に与えられ、走査線Ｖｇ（１）に接
続されたＴＦＴ１０が遮断状態となるまでの期間に、画素電極に接続される画素容量とし
ての液晶容量ＣLC及び補助容量Ｃｓが充電され、それによって画素回路Ｐ（１，ｍ）の画
素電極が、データ信号に相当する正電位に保持される。この間、補助容量線ＶＣｓ（１）
は所定の低電位ＶＬとなっている。
【００３８】
その後、２ライン目の走査線Ｖｇ（２）が選択されて（図示せず）、同様に動作し、こ
の場合負極性での書き込みが行われ、続いて、３ライン目の走査線Ｖｇ（３）が選択され
ると、その液晶容量ＣLC及び補助容量Ｃｓが同様に充電されて、その画素電極は、破線で
示すように、データ信号相当の正電位に保持される。
この走査線Ｖｇ（３）への走査信号がＴＦＴ１０を遮断状態に切り替える信号となると
、容量線駆動回路２２０では、容量制御線ＶＣｃ（１）への容量線制御信号を高電位に変
化させ、容量制御線ＶＣｃ（１）を高電位に変化させる。この容量制御線ＶＣｃ（１）を
介して、走査線Ｖｇ（１）及び走査線Ｖｇ（３）に沿って配設された補助容量線ＶＣｓ（
１）及び補助容量線ＶＣｓ（３）が高電位に変化する。
【００３９】
これにより、補助容量線ＶＣｓ（１）、補助容量線ＶＣｓ（３）が高電位に変化した分
、画素回路Ｐ（１，ｍ）、Ｐ（３，ｍ）の画素電極Ｖｐｉｘの電位にバイアスが印加され
て、これら画素電極に、それぞれのデータ信号とバイアスとの和に応じた電圧ΔＶが印加
されることになり、これに応じて液晶の配向状態が変化し、データ信号相当の画像表示が
行われることになる。
【００４０】
次に、２フレーム目の画像表示を行う場合には、表示制御回路５００は、引き続き通常
接続を指示する切替信号を出力する。
このため、走査線駆動回路２１０では、各走査線Ｖｇ（ｎ）を順次選択するための走査
信号を、選択された順に、対応する走査線Ｖｇ（ｎ）に順次出力する。
走査線Ｖｇ（１）が選択されると、図６（ｂ）に示すように、選択された走査線Ｖｇ（
１）に接続されたＴＦＴ１０が導通状態となり、データ線Ｖｓ（ｍ）からデータ信号とし
て今度は負電位が画素電極に与えられ、走査線Ｖｇ（１）に接続されたＴＦＴ１０が遮断
状態となるまでの期間に、画素電極に接続される画素容量としての液晶容量ＣLC及び補助
容量Ｃｓが充電され、それによって画素回路Ｐ（１，ｍ）の画素電極が、データ信号に相
当する負電位に保持される。この間、補助容量線ＶＣｓ（１）は所定の高電位となってい
る。
【００４１】
その後、２ライン目の走査線Ｖｇ（２）が選択され、同様に動作し、この場合正極性で
の書き込みが行われ、続いて、３ライン目の走査線Ｖｇ（３）が選択されるとその液晶容
量ＣLC及び補助容量Ｃｓが同様に充電されて、その画素電極はデータ信号相当の負電位に
保持される。
この走査線Ｖｇ（３）への走査信号がＴＦＴ１０を遮断状態に切り替える電圧となると
、容量線駆動回路２２０では、容量制御線ＶＣｃ（１）への容量線制御信号を所定の負電
位に変化させ、容量制御線ＶＣｃ（１）を所定の負電位に変化させる。これによって、走
査線Ｖｇ（１）及び走査線Ｖｇ（３）に沿って配設された補助容量線ＶＣｓ（１）及び補
助容量線ＶＣｓ（３）が負電位に変化する。
【００４２】
これにより、補助容量線ＶＣｓ（１）、補助容量線ＶＣｓ（３）が負電位に変化した分
、画素電極Ｖｐｉｘにバイアスが印加されることになって、結果的に、画素回路Ｐ（１，
ｍ）及びＰ（３，ｍ）のそれぞれ画素電極に、それぞれのデータ信号とバイアスとの和に
応じた電圧“−ΔＶ”が印加されることになり、これに応じて液晶の配向状態が変化し、
データ信号相当の画像表示が行われることになる。
続いて、３フレーム目の画像表示を行う場合には、表示制御回路５００は、接続先の切
替を指示する切替信号を出力する。
【００４３】
このため、走査線駆動回路２１０では、各走査線Ｖｇ（ｎ）を順次選択するための走査
信号の出力先を変更して出力し、この場合補助容量線ＶＣｓ（１）とＶＣｓ（３）、補助
容量線ＶＣｓ（２）とＶＣｓ（４）とが対をなしていることから、走査線Ｖｇ（１）への
走査信号は走査線Ｖｇ（３）へ、走査線Ｖｇ（２）への走査信号は走査線Ｖｇ（４）へ、
走査線Ｖｇ（３）への走査信号は走査線Ｖｇ（１）へ、走査線Ｖｇ（４）への走査信号は
走査線Ｖｇ（２）へ出力する。以後、走査線Ｖｇ（５）、Ｖｇ（６）、Ｖｇ（７）、Ｖｇ
（８）…、への走査信号を、走査線Ｖｇ（７）、Ｖｇ（８）、Ｖｇ（５）、Ｖｇ（６）、
…の順に出力する。
【００４４】
また表示制御回路５００は、データ線駆動回路３００へ供給する画像データの並び順を
、走査線Ｖｇ（３）に接続された画素への画素データ、走査線Ｖｇ（４）に接続された画
素への画素データ、走査線Ｖｇ（１）に接続された画素への画素データ、走査線Ｖｇ（２
）に接続された画素への画素データ、…の順に、並び替えて出力する。
このため、３フレーム目では、図６（ｃ）に示すように、まず、走査線Ｖｇ（１）への
走査信号が、その出力先が切り替えられて走査線Ｖｇ（３）に供給され、これに接続され
たＴＦＴ１０が導通状態となり、データ線Ｖｓ（ｍ）からデータ信号として正電位が画素
電極に与えられ、走査線Ｖｇ（３）に接続されたＴＦＴ１０が遮断状態となるまでの期間
に、液晶容量ＣLC及び補助容量Ｃｓが充電され、画素回路Ｐ（３，ｍ）の画素電極が、デ
ータ信号に相当する正電位に保持される。この間、補助容量線ＶＣｓ（３）は所定の低電
位ＶＬとなっている。
【００４５】
その後、走査線Ｖｇ（２）への走査信号がその出力先が切り替えられて走査線Ｖｇ（４
）に供給され、同様に動作し、この場合負極性での書き込みが行われ、続いて、走査線Ｖ
ｇ（３）への走査信号がその出力先が切り替えられて走査線Ｖｇ（１）に供給されると、
走査線Ｖｇ（１）に接続された画素の液晶容量ＣLC及び補助容量Ｃｓが同様に充電されて
、その画素電極はデータ信号相当の正電位に保持される。
【００４６】
この走査線Ｖｇ（１）への走査信号がＴＦＴ１０を遮断する電圧となると、容量線駆動
回路２２０では、容量制御線ＶＣｃ（１）への容量線制御信号を所定の高電位に変化させ
る。これによって、走査線Ｖｇ（１）及び走査線Ｖｇ（３）に沿って配設された補助容量
線ＶＣｓ（１）及び補助容量線ＶＣｓ（３）が高電位に変化し、補助容量線ＶＣｓ（１）
、補助容量線ＶＣｓ（３）が高電位に変化した分、画素電極Ｖｐｉｘにバイアスが印加さ
れることになって、画素回路Ｐ（１，ｍ）及びＰ（３，ｍ）のそれぞれの画素電極に、そ
れぞれのデータ信号に応じた電圧ΔＶが印加されることになり、これに応じて液晶の配向
状態が変化し、データ信号相当の画像表示が行われることになる。
【００４７】
続いて、４フレーム目の画像表示を行う場合には、表示制御回路５００は、接続先の切
替を指示する切替信号を出力する。
このため、走査線駆動回路２１０では、各走査線Ｖｇ（ｎ）を順次選択するための走査
信号の出力先を変更して出力し、走査線Ｖｇ（３）、走査線Ｖｇ（４）、走査線Ｖｇ（１
）、走査線Ｖｇ（２）、走査線Ｖｇ（７）、Ｖｇ（８）、Ｖｇ（５）、Ｖｇ（６）、…の
順に出力し、同様に、表示制御回路５００は、データ線駆動回路３００へ供給する画像デ
ータの並び順を、走査線Ｖｇ（３）に接続された画素への画素データ、走査線Ｖｇ（４）
に接続された画素への画素データ、走査線Ｖｇ（１）に接続された画素への画素データ、
走査線Ｖｇ（２）に接続された画素への画素データ、…の順に、並び替えて出力する。
【００４８】
このため、４フレーム目では、図６（ｄ）に示すように、まず、走査線Ｖｇ（１）への
走査信号が走査線Ｖｇ（３）に供給され、これに接続されたＴＦＴ１０が導通状態となり
、データ線Ｖｓ（ｍ）からデータ信号として正電位が画素電極に与えられ、走査線Ｖｇ（
３）に接続された画素スイッチ素子が遮断状態となるまでの期間に、液晶容量ＣLC及び補
助容量Ｃｓが充電され、画素回路Ｐ（３，ｍ）の画素電極が、データ信号に相当する負電
位に保持される。この間、補助容量線ＶＣｓ（３）は所定の低電位ＶＬとなっている。
その後、走査線Ｖｇ（２）への走査信号が走査線Ｖｇ（４）に供給され、同様に動作し
、この場合正極性での書き込みが行われ、続いて、走査線Ｖｇ（３）への走査信号が走査
線Ｖｇ（１）に供給されると、走査線Ｖｇ（１）に接続された画素の液晶容量ＣLC及び補
助容量Ｃｓが同様に充電されて、その画素電極はデータ信号相当の負電位に保持される。
【００４９】
この走査線Ｖｇ（１）への走査信号の供給が終了すると、容量線駆動回路２２０では、
容量制御線ＶＣｃ（１）への容量線制御信号を所定の低電位に変化させる。これによって
、走査線Ｖｇ（１）及び走査線Ｖｇ（３）に沿って配設された補助容量線ＶＣｓ（１）及
び補助容量線ＶＣｓ（３）が所定の低電位に変化し、補助容量線ＶＣｓ（１）、補助容量
線ＶＣｓ（３）が低電位に変化した分、画素電極Ｖｐｉｘにバイアスが印加されることに
なって、画素回路Ｐ（１，ｍ）及びＰ（３，ｍ）の画素電極に、電圧“−ΔＶ”が印加さ
れることになり、これに応じて液晶の配向状態が変化し、データ信号相当の画像表示が行
われることになる。
そして、以後、同様に処理が行われる。
【００５０】
ここで、補助容量線ＶＣｓ（ｎ）とＶＣｓ（ｎ＋２）に対して同一のタイミングで同一
の容量線駆動信号を供給した場合、走査線Ｖｇ（ｎ）に接続された画素と、走査線Ｖｇ（
ｎ＋２）に接続された画素とでは、図６に示すように、補助容量Ｃｓ及び液晶容量ＣLCへ
の充電期間が異なるため、同じ画像データを書き込んだとしても、場合によっては、走査
線Ｖｇ（ｎ）に接続された画素と、走査線Ｖｇ（ｎ＋２）に接続された画素とでその明る
さに差が生じる可能性がある。
【００５１】
しかしながら、上述のように、走査線Ｖｇ（ｎ）に接続された画素と、走査線Ｖｇ（ｎ
＋２）に接続された画素とでは、１フレーム目及び２フレーム目と、３フレーム目及び４
フレーム目とで、駆動する順番を入れ替えている。よって、１フレーム目で、後に駆動さ
れる走査線Ｖｇ（ｎ＋２）に対応する画素の明るさが多少不足する場合であっても、３フ
レーム目ではこの走査線Ｖｇ（ｎ＋２）は先に駆動され、逆に、走査線Ｖｇ（ｎ）は後に
駆動されることから、１フレーム目と３フレーム目とで、走査線Ｖｇ（ｎ）に接続された
画素と、走査線Ｖｇ（ｎ＋２）に接続された画素の明るさが平均化されることと同等とな
り、充電期間の差に起因して明るさに差が生じることを回避することができる。
【００５２】
したがって、複数の補助容量線ＶＣｓ（ｎ）を同時に駆動する場合であっても、画素間
に明るさの差が生じることなく実現することができ、ドライバＩＣチップの小型化を図り
つつ、的確に画像表示を行うことができる。
特に、アモルファスＴＦＴを用いた場合には、ドライバ回路をガラス基板に一体に形成
することが困難であるため、図７に示すように、走査線Ｖｇ（ｎ）に沿って補助容量線Ｖ
Ｃｓ（ｎ）をパネル配線により配設し、この補助容量線ＶＣｓ（ｎ）に容量線駆動信号を
供給するための出力端子をドライバＩＣに設ける必要がある。つまり補助容量線ＶＣｓ（
ｎ）数が多いほど出力端子数も増加するためドライバＩＣのサイズ増加につながる。しか
しながら上述のように、補助容量線ＶＣｓ（ｎ）の数に対し出力端子数を半分に削減する
ことができるから、チップサイズの縮小化を図ることができる。
【００５３】
なお、上記実施の形態においては、２本の補助容量線ＶＣｓ（ｎ）を一つにまとめて駆
動する場合について説明したが、これに限るものではない。例えば、３本の補助容量線Ｖ
Ｃｓ（ｎ）を一つにまとめて駆動することも可能である。この場合には、図８に示すよう
に、同極性の書き込みが行われる、１ライン目、３ライン目、５ライン目に相当する走査
線Ｖｇ（ｎ）、２ライン目、４ライン目、６ライン目に相当する走査線Ｖｇ（ｎ）をそれ
ぞれ一つにまとめ、３つ目の走査線Ｖｇ（ｎ）への走査信号がＴＦＴ１０を遮断状態に切
り替える電位となった後、１ライン目、３ライン目、５ライン目の補助容量線ＶＣｓ（ｎ
）のそれぞれに対して、容量制御線ＶＣｃ（ｋ）を介して容量線駆動信号を供給し、さら
に、１フレーム目、２フレーム目は、通常の順番で走査線Ｖｇ（ｎ）を駆動し、３フレー
ム目及び４フレーム目は、１ライン目及び５ライン目を入れ替えて駆動すればよい。これ
によって、充電期間が最も長く明るさが十分な１ライン目と、充電期間が最も短く明るさ
不足が生じる可能性のある５ライン目とで平均化されることになって、充電期間の差に起
因して表示画像に与える影響を回避することができる。
【００５４】
また、同様の手順で４本以上の補助容量線ＶＣｓ（ｎ）を一つにまとめることも可能で
あって、この場合には、一つにまとめた補助容量線ＶＣｓ（ｎ）に対応する画素の明るさ
が平均化されるように走査線Ｖｇ（ｎ）の駆動順番を替えればよい。
また、必ずしも隣接する補助容量線ＶＣｓ（ｎ）どうしを一つにまとめる必要はなく、
同極性の書き込みが行われる補助容量線ＶＣｓ（ｎ）であれば、どの補助容量線ＶＣｓ（
ｎ）を組み合わせてもよい。
【００５５】
また、上記実施の形態においては、同一の補助容量線ＶＣｓ（ｎ）に対して同極性の書
き込みが行われるフレーム間、つまり、１フレーム目と３フレーム目、２フレーム目と４
フレーム目の間で、走査線Ｖｇ（ｎ）の順を切り替えて明るさの平均化を図るようにした
場合について説明したが、必ずしもこれに限るものではなく、同一の補助容量線ＶＣｓ（
ｎ）に対して同極性の書き込みが行われるフレーム間であれば、いずれのフレームどうし
の間で平均化を図ってもよく、例えば、１フレーム目と５フレーム目との間で平均化を図
ってもよい。
また、画素データの書き込み極性を１ライン毎に反転させる場合について説明したが、
これに限るものではなく、複数ライン毎に書き込み極性を反転する方式等であってもよく
、要は、補助容量線ＶＣｓ（ｎ）を、フレーム期間単位で極性を反転させて駆動するよう
にした方式であれば適用することができる。
【００５６】
次に、上述した液晶表示装置１を適用した電子機器について説明する。
図９は、液晶表示装置１を適用した携帯電話１２０の構成を示す斜視図である。
この図９に示すように、携帯電話１２０は、複数の操作ボタン１２１のほか、受話口１
２２、送話口１２３と共に、上述した表示部１００を備えるものである。なお、液晶表示
装置１のうち、表示部１以外の構成要素については電話機に内蔵されるので、外観として
は現れない。
【００５７】
また、液晶表示装置１が適用される電気機器としては、図９に示される携帯電話の他に
も、デジタルスチルカメラや、ノートパソコン、液晶テレビ、ビューファインダ型（また
はモニタ直視型）のビデオレコーダ、カーナビゲーション装置、ページャ、電子手帳、電
卓、ワードプロセッサ、ワークステーション、テレビ電話、ＰＯＳ端末、タッチパネルを
備えた機器等が挙げられる。そして、これらの各種電子機器の表示装置として、上述した
液晶表示装置１が適用可能であることはいうまでもない。
【図面の簡単な説明】
【００５８】
【図１】本発明の実施の形態の一例を示す液晶表示装置の概略構成を、表示部の等価回路と共に示すブロック図である。
【図２】補助容量線ＶＣｓ（ｎ）と容量制御線ＶＣｃ（ｋ）との接続関係を説明するための説明図である。
【図３】画素回路の構成を示す回路図である。
【図４】液晶表示装置の動作を説明するための信号波形図である。
【図５】走査側駆動回路の構成を示すブロック図である。
【図６】本発明の動作説明に供する信号波形図である。
【図７】従来の補助容量線ＶＣｓ（ｎ）の配置状況を説明するための説明図である。
【図８】補助容量線ＶＣｓ（ｎ）と容量制御線ＶＣｃ（ｋ）との接続関係のその他の例である。
【図９】電気光学装置を適用した携帯電話の構成を示す斜視図である。
【符号の説明】
【００５９】
１０  ＴＦＴ、１００  表示部、２００  走査側駆動回路、２１０  走査信号出力回路
、２２０  切替回路、３００  データ線駆動回路、５００  表示制御回路
【図１】
2008175853.tif 000003
【図２】
2008175853.tif 000004
【図３】
2008175853.tif 000005
【図４】
2008175853.tif 000006
【図５】
2008175853.tif 000007
【図６】
2008175853.tif 000008
【図７】
2008175853.tif 000009
【図８】
2008175853.tif 000010
【図９】
2008175853.tif 000011